(57)【要約】【課題】  本発明は、無線通信を利用して電子機器から各種データを外部装置にバックアップする際の電子機器における操作性を改善することを目的としている【解決手段】  第１無線端末と、第１無線端末と第１無線方式により無線通信している第２無線端末と、中継器と、中継器に接続され第１無線端末から受信したデータを記憶する記憶装置と、を含む無線通信システムにおいて、第２無線端末は、中継器との間で確立した無線通信の安定度を示すパラメータが所定閾値以上である場合、中継器から記憶装置によるデータ記憶が可能であることを示す第１信号を受信し、第１信号に対応して第１無線端末を起動する第２信号を送信し、第２信号を受信した第１無線端末は、第２無線端末との無線通信の受信電波強度が所定閾値以上である場合、第１無線方式と異なる第２無線方式により、中継器と無線通信を確立することを特徴とする無線通信システムである。【選択図】  図１
2020068421.tif 000002
【特許請求の範囲】
【請求項１】
第１無線端末と、第１無線端末と第１無線方式により無線通信している第２無線端末と、中継器と、前記中継器に接続され前記第１無線端末から受信したデータを記憶する記憶装置と、を含む無線通信システムにおいて、
前記第２無線端末は、前記中継器との間で確立した無線通信の安定度を示すパラメータが所定の閾値以上である場合、前記中継器から前記記憶装置によるデータ記憶が可能であることを示す第１信号を受信し、前記第１信号に応じて前記第１無線端末を起動する第２信号を送信し、
前記第２信号を受信した前記第１無線端末は、前記第２無線端末との無線通信の受信電波強度が所定の閾値以上である場合、前記第１無線方式と異なる第２無線方式により、前記中継器と無線通信を確立することを特徴とする無線通信システム。
【請求項２】
前記第１無線端末は、前記第２無線方式による無線通信を用いて、前記中継器にデータを送信し、
前記記憶装置は、前記中継器を介して受信した前記データを記憶することを特徴とする請求項１に記載の無線通信システム。
【請求項３】
前記第１無線方式は、Ｂｌｕｅｔｏｏｔｈであり、
前記第１無線端末と第２無線端末は常時接続していることを特徴とする請求項１または請求項２に記載の無線通信システム。
【請求項４】
前記第２無線方式は、Ｗｉ−Ｆｉであることを特徴とする請求項１から請求項３のいずれか１つに記載の無線通信システム。
【請求項５】
第１無線端末と、第１無線端末と第１無線方式により無線通信している第２無線端末と、中継器と、前記中継器に接続され前記第１無線端末から受信したデータを記憶する記憶装置と、を含む無線通信システムの制御方法において、
前記第２無線端末が、前記中継器との間で確立した無線通信の安定度を示すパラメータが所定の閾値以上である場合、前記中継器から前記記憶装置によるデータ記憶が可能であることを示す第１信号を受信し、前記第１信号に応じて前記第１無線端末を起動する第２信号を送信するように制御し、
前記第２信号を受信した前記第１無線端末が、前記第２無線端末との無線通信の受信電波強度が所定の閾値以上である場合、前記第１無線方式と異なる第２無線方式により、前記中継器と無線通信を確立するように制御することを特徴とする無線通信システムの制御方法。
【発明の詳細な説明】
【技術分野】
【０００１】
本発明は、無線通信システム、その制御方法及びそのプログラムに関し、各種データのバックアップが可能な無線通信システム、その制御方法に関するものである。
【背景技術】
【０００２】
デジタルカメラなどの電子機器は、Ｂｌｕｅｔｏｏｔｈ（登録商標）やＷｉ−Ｆｉ（登録商標）などの無線通信機能を備えており、画像データなどの各種データを他の電子機器と共有することが可能である。
【０００３】
また、電子機器で撮影した画像データなどを、無線通信機能を利用して中継器経由でＰＣのハードディスクなどの外部記憶装置に送信してバックアップのために記憶する無線通信システムがある。
【０００４】
そのような無線通信システムにおいて、電子機器と無線通信対象となる電子機器の動作モードのハンドオーバーに関する発明が提案されている。
【０００５】
例えば、以下の特許文献１には、無線移動通信システムにおいて電力消耗防止モードにある電子機器（移動局）によるハンドオーバーに関する動作を行う方法を提供することが開示されている。
【先行技術文献】
【特許文献】
【０００６】
【特許文献１】特表２００８−５４６３４６号公報
【発明の概要】
【発明が解決しようとする課題】
【０００７】
上記特許文献１に開示された技術のように基地局からの命令を受信するために電子機器のシステムを常に起動しておくことで、電子機器の動作モードをスリープ状態からアクティブ状態へ効率よく移行することができる。
【０００８】
しかし、電子機器がアクティブ状態に移行した後に、電子機器から基地局に対して各種データをバックアップする際はユーザーの各種操作が必要となり、操作性の改善が望まれていた。
【０００９】
本発明は、無線通信を利用して電子機器から各種データを外部装置にバックアップする際の電子機器における操作性を改善することを目的としている。
【課題を解決するための手段】
【００１０】
本発明の１実施態様は、第１無線端末と、第１無線端末と第１無線方式により無線通信している第２無線端末と、中継器と、前記中継器に接続され前記第１無線端末から受信したデータを記憶する記憶装置と、を含む無線通信システムにおいて、前記第２無線端末は、前記中継器との間で確立した無線通信の安定度を示すパラメータが所定閾値以上である場合、前記中継器から前記記憶装置によるデータ記憶が可能であることを示す第１信号を受信し、前記第１信号に対応して前記第１無線端末を起動する第２信号を送信し、前記第２信号を受信した前記第１無線端末は、前記第２無線端末との無線通信の受信電波強度が所定閾値以上である場合、前記第１無線方式と異なる第２無線方式により、前記中継器と無線通信を確立することを特徴としている。
【発明の効果】
【００１１】
本発明によれば、無線通信を利用して電子機器から各種データを外部装置にバックアップする際の無線端末における操作性を改善することが可能である。
【図面の簡単な説明】
【００１２】
【図１】本発明の実施形態における無線通信システムを説明するための概念図である。
【図２】本発明の実施形態における第１無線端末装置１、中継器２、記憶装置３および第２無線端末装置４の構成を説明するための図である。
【図３】本発明の実施態様における無線通信システムがデータのバックアップを行う際のシーケンスを説明するための図である。
【発明を実施するための形態】
【００１３】
本発明の実施形態を、添付の図面に基づいて詳細に説明する。ただし、以下の説明に用いた実施形態はあくまで例示であって、この発明の範囲を限定する趣旨のものではない。
【００１４】
（第１の実施形態）
以下、図１〜３を参照して、本発明の第１の実施形態の無線通信システムについて説明する。
【００１５】
図１は、本実施形態の無線通信システムを説明するための概念図である。
【００１６】
図１に示すように、無線通信システムは、撮像装置である第１無線端末装置１、無線通信のアクセスポイントとして機能する中継器２、データのバックアップを行う記憶装置３、スマートフォンなどの端末である第２無線端末装置４から構成される。
【００１７】
無線通信システムを構成する各装置の詳細を、図２を用いて説明する。
【００１８】
図２は、図１に示す第１無線端末装置１、中継器２、記憶装置３および第２無線端末装置４の構成を説明するためのブロック図である。
【００１９】
まず、第１無線端末装置１の本体の構成について説明する。
【００２０】
１０１は、第１無線端末装置１の全体を制御するためのＣＰＵである。１０２は画像を撮像するための撮像素子（ＣＣＤなど）を含む撮像部、１０３は撮像により得た画像に対して各種画像処理を施す画像処理部、１０４は画像処理後の画像を画像データとして記憶する記憶部である。
【００２１】
１０５は撮影画像を表示、再生を行う背面表示部である。１０６は第１無線端末装置１に対して撮影指示などの操作を行う操作部である。１０７は、第１無線方式であるＢｌｕｅｔｏｏｔｈを用いて無線通信を行う第１の無線通信部である。また、１０８は、第２無線方式である無線ＬＡＮ（Ｗｉ−Ｆｉ）を用いた無線通信を行う第２の無線通信部である。
【００２２】
なお、図２には示されていないが、ＣＰＵ１０１には、撮像部１０２による撮影及び背面表示部１０５による表示、再生に必要な諸々の回路等がさらに接続されている。さらになお、ＣＰＵ１０１は、不図示のフラッシュＲＯＭに格納された所定のプログラムに従って動作制御する。
【００２３】
次に中継器２について説明する。
【００２４】
２０１は中継器２の全体を制御するためのＣＰＵである。２０２はデータなどを記憶する記憶部である。
【００２５】
２０３は、Ｂｌｕｅｔｏｏｔｈを用いた無線通信を行う第１の無線通信部であり、ＢｅａｍＦｏｒｍｉｎｇ（ビームフォーミング）技術を利用可能であってもよい。２０４は、無線ＬＡＮ（Ｗｉ−Ｆｉ）を用いた無線通信を行う第２の無線通信部であり、ＢｅａｍＦｏｒｍｉｎｇ（ビームフォーミング）技術を利用可能であってもよい。また２０５は、有線ＬＡＮを用いた有線通信部である。
【００２６】
なお、図２には示されていないが、ＣＰＵ２０１には、中継器２の動作に必要な諸々の回路等がさらに接続されている。さらになお、ＣＰＵ２０１は、不図示のフラッシュＲＯＭに格納された所定のプログラムに従って動作制御する。
【００２７】
次に記憶装置３について説明する。
【００２８】
３０１は記憶装置３を制御するためのＣＰＵである。３０２はデータなどを記憶する記憶部である。３０３は、有線ＬＡＮを用いた通信部である。
【００２９】
なお、図２には示されていないが、ＣＰＵ３０１には、記憶装置３の動作に必要な諸々の回路等がさらに接続されている。さらになお、ＣＰＵ３０１は、不図示のフラッシュＲＯＭに格納された所定のプログラムに従って動作制御する。
【００３０】
次に第２無線端末装置４の本体の構成について説明する。
【００３１】
４０１は、第２無線端末装置４の全体を制御するためのＣＰＵである。４０２は画像を撮像する為の撮像素子（ＣＣＤなど）を含む撮像部、４０３は撮像した画像を処理する画像処理部、４０４は画像データを記憶する記憶部である。
【００３２】
４０５は撮影画像表示及び再生画像表示を行う背面表示部である。４０６は第２無線端末装置４に対して撮影指示などの操作を行う操作部である。４０７は、Ｂｌｕｅｔｏｏｔｈを用いた無線通信を行う第１の無線通信部である。４０８は、無線ＬＡＮ（Ｗｉ−Ｆｉ）を用いた無線通信を行う第２の無線通信部である。
【００３３】
なお、図２には示されていないが、ＣＰＵ４０１には第２無線端末装置４の撮影及び再生に必要な諸々の回路等がさらに接続されている。さらになお、ＣＰＵ４０１は、不図示のフラッシュＲＯＭに格納された所定のプログラムに従って動作制御する。
【００３４】
図３は、本実施形態の無線通信システムがデータのバックアップ（データ記憶）を行う際のシーケンスを説明するための図である。図３を用いて、無線通信システムにおける制御シーケンスを説明する。
【００３５】
なお、第１無線端末装置１と中継器２と第２無線端末装置４はそれぞれ無線通信のペアリング済みであり、第１無線端末装置１と第２無線端末装置４は第１の無線通信部１０７と第１の無線通信部４０７による無線通信を用いて常時接続をしている。以下において、上記内容を前提として説明を進める。
【００３６】
Ｓ１０１で、第２無線端末装置４は中継器２を探索し、中継器２に対して第２無線端末装置４の第２の無線通信部４０８から接続要求を送信する。
【００３７】
Ｓ１３１で、中継器２は第２無線端末装置４が送信した接続要求を受信する。その後、Ｓ１３２で、中継器２のＣＰＵ２０１は第２無線端末装置４と接続可能であるかを判断する。
【００３８】
Ｓ１３２でＮＯ、すなわち中継器２が第２無線端末装置４と接続できない場合、中継器２は他の無線端末装置からの接続要求の受信待ち状態となる。
【００３９】
一方で、Ｓ１３２でＹｅｓ、すなわち中継器２が第２無線端末装置４と接続可能である場合はＳ１３３に進む。
【００４０】
Ｓ１３３で、中継器２は接続要求を送信した第２無線端末装置４に対して接続許可信号を送信する。
【００４１】
Ｓ１０２で、第２無線端末装置４のＣＰＵ４０１は中継器２から接続許可信号を受信したかを確認する。
【００４２】
Ｓ１０２でＮｏ、すなわち第２無線端末装置４が中継器２から接続許可信号を受信していない場合、第２無線端末装置４は接続許可信号の受信待ち状態になる。Ｓ１０２でＹｅｓ、すなわち第２無線端末装置４が中継器２からの接続許可信号を受信した場合はＳ１０３に進む。
【００４３】
Ｓ１０３、Ｓ１３４で、中継器２と第２無線端末装置４は、第２の無線通信部２０４と第２の無線通信部４０８により無線通信接続が確立される。
【００４４】
Ｓ１３５で、中継器２は、中継器２のＣＰＵ２０１が第２無線端末装置４との間で確立されている無線通信のリンクレートが閾値以上であるかを確認する。
【００４５】
Ｓ１３５でＹｅｓ、すなわちリンクレートが閾値以上になっていて通信の安定度が一定の基準を満たす場合、Ｓ１３６で、中継器２は第２無線端末装置４に対してデータのバックアップが可能である旨のメッセージ信号（第１信号）を送信する。
【００４６】
一方で、Ｓ１３５でのＮｏ、すなわちリンクレートが閾値未満である場合、中継器２は第２無線端末装置４との無線通信を確立した状態を維持し、無線通信の安定度が改善し、リンクレートが閾値以上になるまで一定期間待機する。
【００４７】
なお、中継器２が第２無線端末装置４に対してバックアップが可能である旨のメッセージを送信するトリガを本実施例ではリンクレートで説明しているが、これに限定されるものではなく、他のパラメータを用いてもよい。例えばスループットなどをパラメータとして用いることができる。
【００４８】
Ｓ１０４で、第２無線端末装置４は中継器２からバックアップが可能である旨のメッセージを受信する。第２無線端末装置４は、受信後、第１の無線通信部４０７から第１無線端末装置１の第１の無線通信部１０７に対して、第１無線端末装置１の起動する旨のメッセージ信号（第２信号）と中継器２の第２の無線通信部２０４と接続するための接続情報を送信する。
【００４９】
第１無線端末装置１は第２無線端末装置４から受信した起動する旨のメッセージと中継器２の第２の無線通信部２０４と接続するための接続情報を第１無線端末装置１の記憶部１０４に保存する。
【００５０】
Ｓ１５１で、第１無線端末装置１のＣＰＵ１０１は、第１無線端末装置１の第１の無線通信部１０７と第２無線端末装置４の第１の無線通信部４０７との無線通信のＲＳＳＩ（受信電波強度）が閾値以上であるかを確認する。
【００５１】
Ｓ１５１でＹｅｓ、すなわちＲＳＳＩが閾値以上である場合、Ｓ１５２で第１無線端末装置１のＣＰＵ１０１は第１無線端末装置１のメインシステムを起動する。
【００５２】
一方、Ｓ１５１でＮｏ、すなわちＲＳＳＩが閾値未満である場合、第１無線端末装置１はメインシステムを起動せずに、第１の無線通信部１０７と第２無線端末装置４の第１の無線通信部４０７が無線通信を確立した状態を維持し、無線通信の安定度が改善し、ＲＳＳＩが閾値以上になるまで一定期間待機する。
【００５３】
Ｓ１５３で、第１無線端末装置１のＣＰＵ１０１は第１の無線通信部１０７から第２の無線通信部１０８へ無線通信のハンドオーバーを実施する。つまり、第２無線端末装置との無線通信をＢｌｕｅｔｏｏｔｈから無線ＬＡＮ（Ｗｉ−Ｆｉ）にハンドオーバーで切り替える。
【００５４】
Ｓ１５４で、第１無線端末装置１のＣＰＵ１０１は無線通信のハンドオーバーが完了したかを確認する。Ｓ１５４でＮｏ、すなわち無線通信のハンドオーバーが完了していない場合はハンドオーバーの処理を継続する。
【００５５】
一方、Ｓ１５４でＹｅｓ、すなわちハンドオーバーが完了した場合、Ｓ１５５で、第１無線端末装置１の第２の無線通信部１０８から中継器２の第２の無線通信部２０４に対して接続要求を送信する。
【００５６】
Ｓ１３７で、中継器２のＣＰＵ２０１は、第２の無線通信部２０４が第１無線端末装置１の第２の無線通信部１０８と無線通信が可能であるかを確認する。
【００５７】
Ｓ１３７でＮｏ、すなわち中継器２が第１無線端末装置１と接続できない場合、中継器２は他無線端末装置からの接続要求の受信待ち状態となる。
【００５８】
一方で、Ｓ１３７でＹｅｓ、すなわち中継器２が第１無線端末装置１と接続可能である場合はＳ１３８に進む。
【００５９】
Ｓ１３８で、中継器２は接続要求を送信した第１無線端末装置１に対して接続許可信号を送信する。
【００６０】
Ｓ１５６で、第１無線端末装置１は、ＣＰＵ１０１が中継器２からの接続許可信号を受信したかを確認する。
【００６１】
Ｓ１５６でＮｏ、すなわち中継器２から接続許可信号を受信していない場合、第１無線端末装置１は接続許可信号の待ち状態になる。
【００６２】
Ｓ１５６でＹｅｓ、すなわち第１無線端末装置１が中継器２からの接続許可信号を受信した場合はＳ１５７に進む。
【００６３】
Ｓ１５７で、第１無線端末装置１の第２の無線通信部１０８と中継器２の第２の無線通信部２０４は無線通信を確立し、第２の無線通信部１０８から第２の無線通信部２０４に記憶装置でバックアップを行うためにデータの転送を開始する。
【００６４】
Ｓ１３９で、中継器２のＣＰＵ２０１は第２の無線通信部１０８で受信したデータを、有線通信部２０５を介して記憶装置３へ転送する。その後、記憶装置３のＣＰＵ３０１は有線通信部３０３を介して受信したデータを記憶部３０２に記憶する。なお、中継器２と記憶装置３との間の通信は有線通信ではなく、無線通信により行ってもよい。さらになお、記憶装置３が中継器２を内蔵する形態であってもよい。
【００６５】
Ｓ１５８とＳ１４０で、第１無線端末装置１のＣＰＵ１０１と中継器２のＣＰＵ２０１はデータの転送が終了したかを確認する。
【００６６】
Ｓ１５８とＳ１４０でＮｏ、すなわち第１無線端末装置１の第２の無線通信部１０８から中継器２の第２の無線通信部２０４データの転送が終了していない場合はデータの転送を継続する。
【００６７】
Ｓ１５８でＹｅｓ、すなわち第１無線端末装置１の第２の無線通信部１０８から中継器２の第２の無線通信部２０４データの転送が終了した場合は、Ｓ１５９とＳ１４１で第１無線端末装置１のＣＰＵ１０１と中継器２のＣＰＵ２０１は第２の無線通信部１０８と第２の無線通信部２０４で確立されている無線通信を切断し、すべての処理を終了する。
【００６８】
以上、本実施形態では、第１無線端末装置１の画像データを記憶装置３に無線通信を利用してバックアップする際、ユーザーに無線接続のための手動操作などを不要としているので、操作性を改善することができる。
【００６９】
（その他の実施形態）
以上、本発明の好ましい実施形態について説明したが、本発明はこれらの実施形態に限定されず、その要旨の範囲内で種々の変形及び変更が可能である。
【００７０】
また、本発明は、上述した実施形態の機能を実現するソフトウェアのプログラムコードを記録した記憶媒体を、システムあるいは装置に供給するよう構成することによっても達成されることはいうまでもない。
【００７１】
この場合、そのシステムあるいは装置のコンピュータ（またはＣＰＵやＭＰＵ）が記憶媒体に格納されたプログラムコードを読出し実行することにより、上記機能が実現されることとなる。なお、この場合、そのプログラムコードを記憶した記憶媒体は本発明を構成することになる。
【００７２】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、不揮発性のメモリカード、ＲＯＭなどを用いることができる。
【００７３】
また、コンピュータが読出したプログラムコードを実行することにより、前述した実施形態の機能が実現される場合に限られない。
【００７４】
例えば、そのプログラムコードの指示に基づき、コンピュータ上で稼働しているＯＳなどが実際の処理の一部または全部を行い、その処理によって前述した実施形態の機能が実現される場合も含まれることは言うまでもない。
【００７５】
さらに、記憶媒体から読出されたプログラムコードが、コンピュータに挿入された機能拡張ボードやコンピュータに接続された機能拡張ユニットに備わるメモリに書込まれた後、前述した実施形態の機能が実現される場合も含まれる。
【００７６】
つまり、プログラムコードがメモリに書込まれた後、そのプログラムコードの指示に基づき、その機能拡張ボードなどに備わるＣＰＵなどが実際の処理の一部または全部を行い、その処理によって実現される場合も含まれる。
【符号の説明】
【００７７】
１  第１無線端末装置
２  中継器
３  記憶装置
４  第２無線端末装置
【図１】
2020068421.tif 000003
【図２】
2020068421.tif 000004
【図３】
2020068421.tif 000005